(57)【要約】【課題】手指が傷つくことなく容器へ着脱が容易に行えるヒンジキャップを提供する。【解決手段】キャップ本体１と、蓋体２とを一体に連結したヒンジ部５と、前記ヒンジ部５とヒンジ部５の間に反発バネ構造を有するバネ部６をもつヒンジキャップＡであって、前記キャップ本体１側の前記ヒンジ部５の近辺にはキャップ本体１側壁面の上端付近から下端方向にキャップ本体１側壁面から外方に突出した複数個の突起部８を設けるとともに、前記蓋体２側の前記ヒンジ部５には蓋体２を閉じた時に前記突起部８の上端側を覆うためのカバー部７を設置したヒンジキャップＡである。【選択図】図１
2010013146.tif 000002
【特許請求の範囲】
【請求項１】
円筒状の外筒と開口部を有するキャップ本体と、円筒状の外筒と内面に開口部を密閉する嵌合部を有する蓋体とを一体に連結したヒンジ部と、前記ヒンジ部とヒンジ部の間に反発バネ構造を有するバネ部をもつ合成樹脂材でできたヒンジキャップであって、前記キャップ本体側の前記ヒンジ部の近辺にはキャップ本体側壁面の上端付近から下端方向にキャップ本体側壁面から外方に突出した複数個の突起部を設けるとともに、前記蓋体側の前記ヒンジ部には蓋体を閉じた時に前記突起部の上端側を覆うためのカバー部を設置したことを特徴とするヒンジキャップ。
【請求項２】
前記ヒンジ部と前記突起部と前記カバー部の形状が重なり合うことで、外周部が丸みのある形状を形成することを特徴とする請求項１に記載のヒンジキャップ。
【請求項３】
前記ヒンジ部の端部を曲面にすることを特徴とする請求項１及び請求項２に記載のヒンジキャップ。
【請求項４】
前記ヒンジキャップの内面にネジ部が形成されていることを特徴とする請求項１乃至請求項３に記載のヒンジキャップ。
【請求項５】
前記蓋体の開状態の角度が９０度から１３０度以内で静止し保持することを特徴とする請求項１乃至請求項４に記載のヒンジキャップ。
【発明の詳細な説明】
【技術分野】
【０００１】
本発明は、粉状・顆粒状の調味料などの内容物が入ったガラス瓶やプラスチックボトルなどの容器の口部に装着されるキャップ本体に蓋が開閉自在にヒンジを介して接続するヒンジキャップに関するものである。
【背景技術】
【０００２】
近年リサイクルやエコロジーなど資源を大切にするため、詰め替え用のパッケージが販売される商品が増えてきているが、中身を詰め替えるために容器からキャップを外しやすくするため、容器の口部がネジタイプのものがある。口部がネジタイプのものへヒンジキャップを装着した場合、突出したヒンジ部の両端の角部がエッジとなり手指にあたると刺さり手指が傷ついたりするため、それを改善するための考案がいろいろと出されている。
【０００３】
まず、特許文献１では、蓋体を閉鎖状態から開放状態にした時に、弾性変形可能なヒンジが反り返って開放された状態を維持することができ、また、閉鎖状態においては、円錐台面の一部、又は円錐面の一部を、基体の上側周及び蓋体の下側周からわずかに突出するだけであるキャップとして、基体の側周上部の一部分と蓋体の側周下部の一部分を、短帯形状の弾性変形可能なヒンジ、及びヒンジの両側に連設した円錐台面の一部からなる形状の弾性変形可能なヒンジを介して連結したキャップが記載されている。
【０００４】
特許文献２では、プラスチックボトル、チューブやガラス瓶などの容器の口部に装置されるヒンジキャップとして、キャップ本体の周壁が中央連結帯の左右の対称位置に並設され中央連結帯より短い一対の左側連結帯及び右側連結帯の下端と、中心点が下方にあるヒンジを介して接続し、蓋部が、左側連結帯及び右側連結帯の上端と、中心点が上方にある円弧状のヒンジを介して接続しているヒンジキャップが記載されている。
【０００５】
特許文献３では、指がヒンジ部の折曲両端角部に当ることなく、フランジ片の弧面に当接して滑らかな感触を受けることができる瓶蓋として、ヒンジ部の両側方に該ヒンジ部の折曲線に達するフランジ片を設け、フランジ片の突出端面を円弧又は凸弧状面に形成した瓶蓋が記載されている。
【０００６】
特許文献４では、ヒンジ部の左右両側に連続する如く滑らかな凸状リブを形成することにより、ヒンジ部両端に形成される三角エッジ部が使用時に指が触れることなく、使用感を向上させたスナップヒンジキャップとして、ヒンジ部側をエッジ部と略等しい断面として且つ反対側を弾性連結板の外面に向かって収束するよう形成した凸状リブを設けたスナップヒンジキャップが記載されている。
【０００７】
【特許文献１】実開平６−６１７４４号公報
【特許文献２】特許第３２９８４７０号公報
【特許文献３】実開昭５９−１１２７４９号公報
【特許文献４】特開平１０−１２９６９７号公報
【発明の開示】
【発明が解決しようとする課題】
【０００８】
特許文献１のヒンジは、閉鎖状態の時はヒンジとなる部分が円錐で丸み形状を有するので、円錐の側面を触ると丸みがあるので痛くはないが、円錐の両端は突出しており、容器がチューブやガラス瓶などのネジを形成したものへ装着する場合は、キャップを回して容器へセットする時に突出した円錐の両端が刃物のようになり、手指を傷つけてしまう場合があった。また、蓋体を開放状態から閉鎖状態にする場合、このタイプのヒンジには折曲線が形成されないのでねじれ易く、また、ヒンジ付近に外部からの衝撃などが加わるとヒンジが変形しやすく、蓋体を閉める時に左右のズレが生じて蓋体がうまく閉まらない状態になる場合がある。更に、蓋体が開放状態の時には、ヒンジが反り返って蓋体がほぼ１８０度近く開放してしまう構造であるので、開き角度を９０度から１２０度あたりで静止させることは出来ない。
【０００９】
更に、特許文献２は特許文献１と同様に、円錐の両端は突出しており、容器がチューブやガラス瓶などのネジを形成したものへ装着する場合は、キャップを回して容器へセットする時に突出した円錐の両端が刃物のようになり、手指を傷つけてしまう場合があった。また、蓋体を開放状態から閉鎖状態にする場合、このタイプのヒンジには折曲線が形成されないのでねじれ易く、また、ヒンジ付近に外部からの衝撃がかかるとヒンジが変形し、蓋体を閉める時に左右のズレが生じて蓋体がうまく閉まらない状態になる場合がある。
【００１０】
更に、特許文献３及び特許文献４のヒンジは、折曲線を有するタイプのヒンジが中央に１つ形成されるものであるが、特許文献３のヒンジ部の場合、いくらフランジ片を折曲両端角部の近辺に形成しても、折曲両端角部の端角はもちろんのこと、フランジ片の突出した端角も鋭く尖った状態のままであるので、この状態で容器がチューブやガラス瓶などのネジを形成したものへ装着する場合、キャップを回して容器へセットする時に、閉める力が必要になるので、手指の肉が折曲両端角部とフランジ片の端角にあたり、針で刺されたような痛みが生じてしまうので、容器がネジタイプのものには不向きである。
【００１１】
また、特許文献４のヒンジも同様で、キャップを回して容器へセットする時に、閉める力が必要になるので、凸状リブの端角とヒンジ部の三角エッジ部分に手指の肉があたり、針で刺されたような痛みが生じてしまう。更に、凸状リブをヒンジ部の左右に形成されている弾性連結板上に設けた場合、弾性連結板の一部が凸状リブで肉厚となるため、凸状リブの厚みが邪魔となり容易に蓋体を閉鎖することができず、無理やり閉鎖を実施した場合でも凸状リブが形成されていない場所の弾性連結板が無理やり引っぱられるため蓋体は閉めにくく、また、弾性連結板が無理やり引っぱられるためその周辺の側壁面は変形したり、弾性連結板の薄肉部分から引きちぎれが生じてしまうため、ヒンジキャップとし使用できる期間が短命となる形状である。
【００１２】
本発明の目的は、上記課題を解決し、ネジタイプの容器にヒンジキャップをセットする場合でも、手指が傷つくことなく容器へ着脱が容易に行えるヒンジキャップを提供することである。
【課題を解決するための手段】
【００１３】
円筒状の外筒と開口部を有するキャップ本体と、円筒状の外筒と内面に開口部を密閉する嵌合部を有する蓋体とを一体に連結したヒンジ部と、前記ヒンジ部とヒンジ部の間に反発バネ構造を有するバネ部をもつ合成樹脂材でできたヒンジキャップであって、前記キャップ本体側の前記ヒンジ部の近辺にはキャップ本体側壁面の上端付近から下端方向にキャップ本体側壁面から外方に突出した複数個の突起部を設けるとともに、前記蓋体側の前記ヒンジ部には蓋体を閉じた時に前記突起部の上端側を覆うためのカバー部を設置したヒンジキャップである。
【００１４】
前記ヒンジ部と前記突起部と前記カバー部の形状が重なり合うことで、外周部が丸みのある形状を形成するヒンジキャップである。
【００１５】
前記ヒンジ部の折曲線の端部を曲面にしたヒンジキャップである。
【００１６】
ヒンジキャップの内面にネジ部が形成されているヒンジキャップである。
【００１７】
蓋体の開状態の角度が９０度から１３０度以内で静止し保持したヒンジキャップである。
【発明の効果】
【００１８】
本発明は、円筒状の外筒と開口部を有するキャップ本体と、円筒状の外筒と内面に開口部を密閉する嵌合部を有する蓋体とを一体に連結したヒンジ部と、前記ヒンジ部とヒンジ部の間に反発バネ構造を有するバネ部をもつ合成樹脂材でできたヒンジキャップであって、前記キャップ本体側の前記ヒンジ部の近辺にはキャップ本体側壁面の上端付近から下端方向にキャップ本体側壁面から外方に突出した複数個の突起部を設けるとともに、前記蓋体側の前記ヒンジ部には蓋体を閉じた時に前記突起部の上端側を覆うためのカバー部を設置したヒンジキャップであるので、ネジタイプの容器にヒンジキャップをセットする場合でも、手指を傷つけることなく容器へ着脱が容易に行えるヒンジキャップを提供することができる。また、複数設けられた突起部が滑り止めの役目を果すため、容易にヒンジキャップを容器から取り外して、中身の詰め替えをすることができるヒンジキャップを提供することができる。
【００１９】
また、前記ヒンジ部と前記突起部と前記カバー部の形状が重なり合うことで、外周部が丸みのある形状を形成するヒンジキャップであるので、ネジタイプの容器にヒンジキャップをセットする場合でも、手指を傷つけることなく容器へ着脱が容易に行えるヒンジキャップを提供することができる。
【００２０】
更に、前記ヒンジ部の折曲線の端部を曲面にしたヒンジキャップであるので、ネジタイプの容器にヒンジキャップをセットする場合でも、手指を傷つけることなく容器へ着脱が容易に行えるヒンジキャップを提供することができる。
【００２１】
また、ヒンジキャップの内面にネジ部が形成されているヒンジキャップであるので、簡単にヒンジキャップを外しとることでできるので、内容物の詰め替え用パッケージを購入すれば、容易に詰め替えすることができるヒンジキャップを提供することができる。
【００２２】
更に、蓋体の開状態の角度が９０度から１３０度以内で静止し保持したヒンジキャップであるので、内容物を振出すときに蓋を机などに置く必要がなく衛生的であり、内容物を外へ振出す時も開口した蓋が邪魔にならず、使用しやすいヒンジキャップを提供することができる。
【発明を実施するための最良の形態】
【００２３】
図１乃至図８において、本発明は、粉状・顆粒状になった鶏がらスープの素や、だしの素などの調味料が入ったガラス瓶や樹脂ボトルなどでできた容器Ｂの口部に嵌着させるヒンジキャップＡである。前記ヒンジキャップＡは、ポリプロピレンやポリエチレンなどの合成樹脂でできており、円筒状の外筒と内容物を外へ振出すための開口部３を有するキャップ本体１と、円筒状の外筒と内面に開口部３を密閉する嵌合部４を有する蓋体２とを一体に連結したヒンジ部５とからなる。
【００２４】
また、前記ヒンジ部５は、外方に突出した前記蓋体２側の突出部５ａと外方に突出した前記キャップ本体１側の突出部５ａが重なり折曲がることで、折曲線５ｂが形成される。前記折曲線５ｂの端部に、図４及び図５に示すとおり丸みを持たせた曲面となる保護部５ｃを形成することで、前記保護部５ｃに手指がふれても針で刺されたような痛みを感じないヒンジ部５となる。射出成形時の蓋体２が開状態の時の前記保護部５ｃは、図６及び図７に示すように折曲線５ｂの端部の中心位置から前記蓋体２側の突出部５ａ側と前記本体１側の突出部５ａ側にむけて丸みを形成することで、前記蓋体２が閉状態のときに、図１乃至図５に示すとおり前記蓋体２側の突出部５ａと前記本体１側の突出部５ａが重なり合い肉厚になることで、前記保護部５ｃにより丸みを持たせることができる。
【００２５】
更に、前記ヒンジ部５とヒンジ部５の間には、前記蓋体２と前記キャップ本体１と連結した薄肉で帯状の反発バネ構造を有するバネ部６を形成している。射出成形時は、図６乃至図８に示すとおり前記バネ部６が逆Ｕの字に反り返った状態で成形されるので、蓋体２が閉状態の時は、図１及び図２に示すように側壁面に面した位置に沿う形で板状となり、開状態の時は、前記バネ部６の反りが、なだらかな湾曲状態でキープされる。蓋体２の開状態の角度は９０度から１３０度以内で静止し保持することのできるヒンジキャップＡとなる。そのため、内容物を振出すときに蓋を机などに置く必要がなく衛生的であり、内容物を外へ振出す時も開口した蓋が邪魔にならず、使用しやすいヒンジキャップＡを提供することができる。
【００２６】
また、前記キャップ本体１側の前記ヒンジ部５の近辺にはキャップ本体１側壁面の上端付近から下端方向にキャップ本体１側壁面から外方に突出した複数個の突起部８を設けている。前記突起部８の側面はすべて曲面で形成しているので、手指で握った時も痛さを感じることはない。更に、前記突起部８を複数個設置することで、容器Ｂから本発明であるヒンジキャップＡを取り外す場合に、滑り止めの役目を果す突起部８となる。
【００２７】
また、前記蓋体２側の前記ヒンジ部５には蓋体２を閉じた時に前記突起部８の上端側を覆うためのカバー部７を設置する。前記カバー部７も前記突起部８と同様に、側面はすべて曲面で形成している。前記ヒンジ部５と前記突起部８と前記カバー部７の形状が合わさることで、１つ１つ外方へ突出するでっぱりが、各々の位置に配置されることで、外周部に丸みを持たせた形状を形成することができるため、ネジタイプの容器ＢにヒンジキャップＡを回してセットしたり、回して取り外したりする場合でも、手指に針が刺さるような痛みや、手指に角部がひっかかり傷つけるようなことがなくなり、前記突起部８が滑り止めの役目を果すので、容器Ｂから容易にヒンジキャップＡを脱着することができ、中身の詰め替えが容易にできるヒンジキャップＡを提供することができる。
【図面の簡単な説明】
【００２８】
【図１】本発明の実施形態を示すヒンジキャップの斜視図である。
【図２】同実施形態を示すヒンジキャップの斜視図である。
【図３】同実施形態を示すヒンジキャップの側面図である。
【図４】同実施形態を示すヒンジキャップの上面図である。
【図５】図４のヒンジ部を拡大した詳細図ａである。
【図６】同実施形態の蓋体を開いた状態を示すヒンジキャップの斜視図である。
【図７】図６のヒンジ部付近を拡大した詳細図ｂである。
【図８】図６に示す実施形態の斜視図である。
【符号の説明】
【００２９】
１        キャップ本体
２        蓋体
３        開口部
４        嵌合部
５        ヒンジ部
５ａ      突出部
５ｂ      折曲線
５ｃ      保護部
６        バネ部
７        カバー部
８        突起部
９        ネジ部
Ａ        ヒンジキャップ
Ｂ        容器
【図１】
2010013146.tif 000003
【図２】
2010013146.tif 000004
【図３】
2010013146.tif 000005
【図４】
2010013146.tif 000006
【図５】
2010013146.tif 000007
【図６】
2010013146.tif 000008
【図７】
2010013146.tif 000009
【図８】
2010013146.tif 000010